(57)【要約】【課題】屋内に見栄え良く設置することができ、ブースを極力狭めないように厚肉化を防ぎ、安定性やメンテナンスも容易な、従来にはないスライドドア装置を提供する。【解決手段】室内に置き敷いて間仕切り用に用いるスライドドア装置１を構成するにあたり、パーティションパネル１を戸袋状に構成し、このパーティションパネル１にスライドドア２を、戸袋内に構成した支持機構ＳＰを介して手動で出し入れ可能な状態に支持することにしたので、引き違いが解消し、それに伴って外観や使い勝手を有効に向上させることが可能となる。【選択図】図２
2018178514.tif 000002
【特許請求の範囲】
【請求項１】
室内に置き敷いて間仕切り用に用いるものであって、パーティションパネルを戸袋状に構成し、このパーティションパネルにスライドドアを、戸袋内に構成した支持機構を介して手動で出し入れ可能な状態に支持したことを特徴とするスライドドア装置。
【請求項２】
パーティションパネルを、主パネルと、この主パネルに対面する位置に着脱可能に取り付けられる化粧パネルとから構成し、化粧パネルを取外すことによって、主パネルに支持機構を介して支持されたスライドドアを側方に表出させ得るようにしている請求項１に記載のスライドドア装置。
【請求項３】
主パネルは剛性のある板材を主体として構成されている請求項２に記載のスライドドア装置。
【請求項４】
板材は化粧パネルの有無によらず他のパーティションパネル又はコーナー支柱に連結されて自立状態を維持する請求項３に記載のスライドドア装置。
【請求項５】
パーティションパネルは床に置き敷かれる接地部を有し、スライドドアの厚み方向の重心がパーティションパネルの接地幅内に位置している請求項４に記載のスライドドア装置。
【請求項６】
支持機構は、スライドドアのスライド方向に沿って前後に配された吊り下げ機構と、同じくスライドドアのスライド方向に沿って前後に配されてスライドドアの上下端部の振れを厚み方向に規制する振れ止め機構とを備えたものであり、前吊下げ機構及び前振れ止め機構は、スライドドアの高さ内及び厚み内に設けた縦レール及び横レールを含むとともに、後吊下げ機構及び後振れ止め機構は、スライドドアから突設した縦ローラ及び横ローラを含んでおり、戸袋開口は、スライドドアの断面よりも大きく縦ローラ及び横ローラの突出寸法よりも小さいドア出入口を有する戸袋開口カバーによって閉止されている請求項１〜５の何れかに記載のスライドドア装置。
【請求項７】
支持機構は、スライドドアのスライド方向に沿って前後に配された吊り下げ機構と、同じくスライドドアのスライド方向に沿って前後に配されてスライドドアの上下端部の振れを厚み方向に規制する振れ止め機構とを備えたものであり、前吊下げ機構及び前振れ止め機構は、スライドドアの高さ内及び厚み内に設けた縦レール及び横レールを含むとともに、後吊下げ機構及び後振れ止め機構も、スライドドアの高さ内及び厚み内に設けた縦レール及び横レールを含んでおり、戸袋開口は、スライドドアの断面よりも僅かに大きいドア出入口を有する戸袋開口カバーによって閉止されている請求項１〜５の何れかに記載のスライドドア装置。
【請求項８】
支持機構は、スライドドアのスライド方向に沿って前後に配された吊り下げ機構と、同じくスライドドアのスライド方向に沿って前後に配されてスライドドアの上下端部の振れを厚み方向に規制する振れ止め機構とを備えたものであり、前吊下げ機構は戸袋内に設けた縦ローラを含み、同じく戸袋内に、スライドドアを戸袋から引き出した状態で縦ローラの配設高さを調整可能な高さ調整機構を設けている請求項１〜７の何れかに記載のスライドドア装置。
【請求項９】
主パネルが底板の縁辺より起立するとともに、底板がアジャスタを介して基台に支持された状態で底板と基台が連結されて、基台が床に置き敷かれる構造をなす請求項１〜８の何れかに記載のスライドドア装置。
【請求項１０】
主パネルに、スライドドアを引き込む際の移動終端の引き込み力と、スライドドアを引き出す際の移動終端の引き出し力とを補助する一対の出し入れ補助機構を取り付け、これらを戸袋内に収容して、スライドドアに設けた共通の係合部を各開閉補助機構に選択的に係合させるようにしている請求項１〜９の何れかに記載のスライドドア装置。
【請求項１１】
請求項１〜１０の何れかに記載のスライドドア装置を備えたことを特徴とするローパーティションシステム。
【発明の詳細な説明】
【技術分野】
【０００１】
本発明は、屋内に設置されるブース等に好適に用いられるスライドドア装置及びパーティションシステムに関するものである。
【背景技術】
【０００２】
従来、屋内に設置されるブースには、出入口を構成するためにスライドドアが採用されているものが少なくない。
【０００３】
この種のスライドドアとして、固定パネルの外にスライドドアを厚み方向に重合するように組み付けたもの（特許文献１、２）や、スライドドア自体は自立していて固定パネルの外にスライドドアを厚み方向に重合するように係合させたもの（特許文献３）等が知られている。
【先行技術文献】
【特許文献】
【０００４】
【特許文献１】特許第４３５４０４９号公報
【特許文献２】特許第４５６０７７５号公報
【特許文献３】特許第５４６０５１５号公報
【発明の概要】
【発明が解決しようとする課題】
【０００５】
しかしながら、このような構造のものは、固定パネルに対してスライドドアが引き違いになり、支持機構も露出し、戸当たりの位置もずれるなど、見栄えを損ね易いうえに、特に固定パネルの前に什器や荷物が置いてあると開閉の邪魔になる。しかも、厚み方向に２枚分の設置領域を確保しなければならないため、ブースを狭める要因ともなる。更に、固定パネルの外側にスライドドアを支持させた場合はスライドドアに倒れ荷重が掛かり、スライドドアをキャスタ等で自立させた場合は床に傷がついたり開閉操作が重くなるといった不具合が生じる。
【０００６】
本発明は、このような課題に着目してなされたものであって、屋内に見栄え良く設置することができ、ブースを極力狭めないように厚肉化を防ぎ、安定性やメンテナンスも容易な、従来にはないスライドドア装置及びパーティションシステムを提供することを目的としている。
【課題を解決するための手段】
【０００７】
本発明は、かかる目的を達成するために、次のような手段を講じたものである。
【０００８】
すなわち、本発明のスライドドア装置は、室内に置き敷いて間仕切り用に用いるものであって、パーティションパネルを戸袋状に構成し、このパーティションパネルにスライドドアを、戸袋内に構成した支持機構を介して手動で出し入れ可能な状態に支持したことを特徴とする。
【０００９】
このように構成すると、スライドドアはパーティションパネルの厚み内に収まるので、引き違いを生じることがなく、パーティションパネルとスライドドアのトータルの厚みを低減できるうえに、見栄えが良く、モータ等も使わないため軽く構成できて戸袋内にてスライドドアを的確に支持ことができる。しかも、パーティションパネルの周辺に周辺の什器や荷物があってもドア開閉の邪魔になることがなく、ブースを狭めることも極力回避することができる。さらに、スライドドアの重心がパーティションパネルの厚み内に位置するため、安定した支持状態を実現し易いものとなる。
【００１０】
化粧パネルを外した状態で組み付け分解等の便に資するためには、パーティションパネルを、主パネルと、この主パネルに対面する位置に着脱可能に取り付けられる化粧パネルとから構成し、化粧パネルを取外すことによって、主パネルに支持機構を介して支持されたスライドドアを側方に表出させ得るようにしていることが望ましい。
【００１１】
戸袋の内空を広く開放するためには、主パネルは剛性のある板材を主体として構成されていることが好ましい。
【００１２】
組み付けやメンテナンスの便を更に向上させるためには、板材は化粧パネルの有無によらず他のパーティションパネル又はコーナー支柱に連結されて自立状態を維持するように構成しておくことが有効である。
【００１３】
置き敷き式のスライドドアであっても安定性を高めるためには、パーティションパネルは床に置き敷かれる接地部を有し、スライドドアの厚み方向の重心がパーティションパネルの接地幅内に位置していることが望ましい。
【００１４】
機構部品の干渉を避けつつ、支持機構を簡易に構成して戸袋開口の見え掛かりも良好にするための好ましい実施の態様としては、支持機構は、スライドドアのスライド方向に沿って前後に配された吊り下げ機構と、同じくスライドドアのスライド方向に沿って前後に配されてスライドドアの上下端部の振れを厚み方向に規制する振れ止め機構とを備えたものであり、前吊下げ機構及び前振れ止め機構は、スライドドアの厚み内に設けた縦レール及び横レールを含むとともに、後吊下げ機構及び後振れ止め機構は、スライドドアから突設した縦ローラ及び横ローラを含んでおり、戸袋開口は、スライドドアの断面よりも大きく縦ローラ及び横ローラの突出寸法よりも小さいドア出入口を有する戸袋開口カバーによって閉止されているものが挙げられる。
【００１５】
或いは、支持機構は、スライドドアのスライド方向に沿って前後に配された吊り下げ機構と、同じくスライドドアのスライド方向に沿って前後に配されてスライドドアの上下端部の振れを厚み方向に規制する振れ止め機構とを備えたものであり、前吊下げ機構及び前振れ止め機構は、スライドドアの高さ内及び厚み内に設けた縦レール及び横レールを含むとともに、後吊下げ機構及び後振れ止め機構も、スライドドアの高さ内及び厚み内に設けた縦レール及び横レールを含んでおり、戸袋開口は、スライドドアの断面よりも僅かに大きいドア出入口を有する戸袋開口カバーによって閉止されているものも好適である。
【００１６】
支持機構が、スライドドアのスライド方向に沿って前後に配された吊り下げ機構と、同じくスライドドアのスライド方向に沿って前後に配されてスライドドアの上下端部の振れを厚み方向に規制する振れ止め機構とを備えたものである場合に、スライドドアを戸袋内で支持しても傾きを適切に防止するためには、前吊下げ機構は戸袋内に設けた縦ローラを含み、同じく戸袋内に、スライドドアを戸袋から引き出した状態で縦ローラの配設高さを調整可能な高さ調整機構を設けていることが望ましい。
【００１７】
置き敷き式であってもスライドドア装置の適切な設置を可能とするためには、主パネルが底板の縁辺より起立するとともに、底板がアジャスタを介して基台に支持された状態で底板と基台が連結されて、基台が床に置き敷かれる構造をなしていることが好ましい。
【００１８】
限られた内空の戸袋内でスライドドアの出し入れを適切に補助するためには、主パネルに、スライドドアを引き込む際の移動終端の引き込み力と、スライドドアを引き出す際の移動終端の引き出し力とを補助する一対の出し入れ補助機構を取り付け、これらを戸袋内に収容して、スライドドアに設けた共通の係合部を各開閉補助機構に選択的に係合させるようにしていることが効果的である。
【００１９】
以上説明したスライドドア装置を用いれば、外観が良好で居住性や使い勝手に優れ、置き敷き式であっても安定して使用することが可能なローパーティションシステムを提供することができる。
【発明の効果】
【００２０】
本発明は、以上説明した構成であるから、引き違いのような大きな段差が生じることがなく、支持機構も隠蔽できて、戸当たりもずれないために、屋内に設置して見栄えが良く、周辺に什器や荷物を置いても邪魔になることがなく、安定して支持できて床の損傷も招かない、新規有用なスライドドア装置を提供することができる。
【図面の簡単な説明】
【００２１】
【図１】本発明の一実施形態に係るローパーティションシステムの外観図。
【図２】同実施形態を構成するスライドドア周辺の分解斜視図。
【図３】同スライドドアを組み付けたローパーティションの正面透視図。
【図４】図３のＡ−Ａ線に沿った上部拡大断面図。
【図５】図３のＡ−Ａ線に沿った下部拡大断面図。
【図６】図３のＢ−Ｂ線に沿った上部拡大断面図。
【図７】図３のＢ−Ｂ線に沿った下部拡大断面図。
【図８】同実施形態における縦ローラ及び横ローラの調整機構を示す正面図。
【図９】同実施形態におけるスライドドアの出し入れ補助機構を示す部分正面図。
【図１０】本発明の第二実施形態を示す模式的な正面透視図。
【図１１】同実施形態を構成する上下のローラ支持体の正面図。
【図１２】図１０の上部及び下部を矢視Ｙ１、Ｙ２方向から見た透視図。
【図１３】上ローラ支持体を模式的に示す斜視図。
【発明を実施するための形態】
【００２２】
以下、本発明の第一実施形態を、図１〜図９を参照して説明する。
【００２３】
図１はスライドドア装置Ａを備えたローパーティションシステムＬＰＳを示している。スライドドア装置Ａは、室内に置き敷いて間仕切り用に用いるもので、パーティションパネル１を戸袋状に構成し、このパーティションパネル１に対してスライドドア２を手動で出し入れ可能としたものである。
【００２４】
図２はパーティションパネル１を分解してスライドドア２の周辺を示した分解斜視図である。パーティションパネル１は、主パネル１１と、この主パネル１１に対面する位置に着脱可能に取り付けられる化粧パネル１２と、これら主パネル１１と化粧パネル１２の縁辺間を覆う接地部１３、戸袋開口カバー１４、笠木１５、および笠木補助部材１６とから構成され、これらによって閉止される戸袋空間Ｓにスライドパネル２を収納するようにしている。
【００２５】
主パネル１１は、剛性のある板材、例えばペーパーハニカムをスチールでサンドイッチしたフラッシュ構造の板材１１ａを主体として構成されたもので、この板材１１ａがブースを構成するコーナー支柱ＣＰにブラケット１１ｂを介して連結され、分解状態でも自立性を維持している。この主パネル１１の外側には図４に示すように化粧材１１ｃが配置されている。
【００２６】
主パネル１１は、図３及び図５等に示すように、底板を構成するブラケット１１ｄの縁辺に沿って起立するとともに、ブラケット１１ｄがアジャスタ１１ｅを介して接地部１３を構成する角パイプ状の基台１３ａに支持され、アジャスタ調整した状態でブラケット１１ｄと基台１３ａが締結具１３ｂにより連結されて、基台１３ａが床Ｆに置き敷かれる。基台１３ａには幅木１３ｃが取り付けられる。
【００２７】
一方、スライドドア２は、図２〜図５等に示すように、上枠２１、下枠２２及び左右の側枠２３、２４の内側に取付部材２ａを介して薄板状のパネル体２５を取り付けて構成されるもので、引き出し側の側枠２３に凸片状の戸当たり部２３ａが断面Ｔ字状をなすように形成されている。
【００２８】
そして、スライドドア２を支持するための支持機構ＳＰは、図２及び図４〜図７等に示すように、スライド方向に沿って引き出し側を前、引き込み側を後ろとした場合に、スライドドア２を一側面側から吊下げ支持する前吊り下げ機構３及び後吊下げ機構４と、スライドドア２の上下端部を当該スライドドア２の厚み方向に規制する前上部振れ止め機構５、前下部振れ止め機構６、後上部振れ止め機構７、後下部振れ止め機構８とを備えている。図４〜図７においては、一部の断面を表すハッチングを省略するなど、簡略化してある。
【００２９】
前吊下げ機構３は、図４に示すように、スライドドア２を構成する上枠２１の厚み内及び高さ内に設けた縦レール３１と、この縦レール３１に係合して高さ方向を支持する支持側すなわち主パネル１１側の縦ローラ３２とによって構成されている。縦レール３１は当該スライドドア２を構成する上枠２１の一側面２ｂに凹設した溝状のものであり、この縦レール３１をスライドドア２の厚み方向に沿って縦ローラ３２に係合させている。縦ローラ３２はＬ字型のローラ支持部材９１の起立片９１ａに水平な支軸３２ａを介して軸着され、そのローラ支持部材９１がブラケット９２を介して主パネル１１に取り付けられているもので、起立片９１ａまたはブラケット９２には図示しないルーズ孔が設けてあり、ローラ支持部材９１はルーズ孔に挿通した止着具９１ｃにより適宜の高さで固定される。
【００３０】
後吊下機構４は、図６に示すように、スライドドア２から突設した縦ローラ４１と、縦ローラ４１に係合して高さ方向を支持する支持側すなわち主パネル１１側の縦レール４２とによって構成されている。縦ローラ４１は当該スライドドア２に設けられた前記縦レール３１の紙面垂直方向に沿った延長線上に水平な支軸４１ａを介して軸着されたもので、ローラ部分をスライドドア２の一側面２ｂよりも側方に突出させている。縦レール４２は、Ｌ字型のレール構成部材９３の起立片９３ａに形成され、そのレール構成部材９３が前述した前記ブラケット９２を介して主パネル１１に取り付けられている。
【００３１】
前上部振れ止め機構５は、図４に示すように、スライドドア２の厚み内及び高さ内に設けた上横レール５１と、この上横レール５１に係合して厚み方向を支持する支持側すなわち主パネル１１側の上横ローラ５２とによって構成されている。スライドドア２の横レール５１は当該スライドドア２を構成する上枠２１の上端面２ｃに凹設した溝状のもので、この横レール５１に上方から横ローラ５２を係合させている。横ローラ５２は前述したローラ取付部材９１の水平片９１ｂに鉛直な支軸５２ａを介して軸着されているもので、ローラ支持部材９１の高さに応じて縦ローラ３２とともに配設高さが変更可能とされている。主パネル１１は止着具９１ｃを介してローラ支持部材９１及びブラケット９２が締結してあり、止着具９１ｃを緩めた状態でブラケット９２の水平部に挿通しローラ取付部材９１に螺合させた調整部であるボルトＶ１によってローラ３２、５２の高さ位置が調整可能とされており、ボルトＶ１はローラ支持部材９１、ブラケット９２、止着具９１ｃとともにローラ３２、５２の高さを調整する上部調整機構１１０を構成している。
【００３２】
後上部振れ止め機構７は、図６に示すように、スライドドア２から突設した上横ローラ７１と、この上横ローラ７１に係合してスライドドア２の厚み方向を支持する支持側すなわち主パネル１１側の上横レール７２とによって構成されている。上横ローラ７１は当該スライドドア２に設けられた前記上横レール５１の紙面垂直方向に沿った延長線上に垂直な支軸７１ａを介して軸着されたもので、ローラ部分をスライドドア２の上端面２ｃよりも上方に突出させている。上横レール７２は、前記レール構成部材９３の水平片９３ｂに形成され、ブラケット９２を介して主パネル１１に取り付けられている。
【００３３】
前下部振れ止め機構６は、図５に示すように、スライドドア２の厚み内及び高さ内に設けた下横レール６１と、この下横レール６１に係合して厚み方向を支持する支持側すなわち主パネル１１側の下横ローラ６２とによって構成されている。スライドドア２の下横レール６１は当該スライドドア２を構成する下枠２２の下端面２ｄに凹設した溝状のもので、この横レール６１に下方から横ローラ６２を係合させている。横ローラ６２はＬ字状をなすローラ支持部材９４の水平片９４ａに鉛直な支軸６２ａを介して軸着され、そのローラ支持部材９４の起立片９４ｂがブラケット９５を介して主パネル１１に取り付けられているもので、起立片９４ｂ又はブラケット９５には図示しないルーズ孔が設けてあり、ルーズ孔に挿通した止着具９４ｃにより適宜の高さで固定される。ローラ支持部材９４はブラケット９５及び止着具９４ｃとともにローラ６２の高さを調整する下部調整機構１２０を構成している。
【００３４】
後下部振れ止め機構８は、図７に示すように、スライドドア２から突設した下横ローラ８１と、この下横ローラ８１に係合して厚み方向を支持する支持側すなわち主パネル１１側の下横レール８２とによって構成されている。下横ローラ８１は当該スライドドア２を構成する下枠２２に設けられた前記下横レール６１の紙面垂直方向に沿った延長線上に垂直な支軸８１ａを介して軸着されたもので、ローラ部分をスライドドア２を構成する下枠２２の下端面２ｄよりも下方に突出させている。下横レール８２は、前記ローラ支持部材９４の水平片９４ａに形成され、前述したブラケット９５を介して主パネル１に取り付けられている。
【００３５】
図４等に示すように、笠木補助部材１６は化粧パネル１２と化粧材１１ｃの高さ違いを補填するものであり、笠木補助部材１６及び化粧材１１ｃに亘って笠木１５が取り付けられる。
【００３６】
図２に示す戸袋開口カバー１４は、スライドドア２の断面よりも大きく縦ローラ４１及び横ローラ７１、８１の突出寸法よりも小さいドア出入口１４ａを有している。
【００３７】
前記高さ調整機構１１０は、戸袋内にあって笠木１５を取外すことによって上方に開放され、スライドドア２を戸袋から引き出した状態でボルトＶ１を通じてローラ３２、５２の配設高さを調整可能とされている。前記高さ調整機構１２０は、化粧パネル１２を取外した状態で止着具９４ｃを緩めることによってローラ６２の高さ位置が調整可能である。
【００３８】
また、このスライドドア装置Ａは、図２に示す主パネル１に、スライドドア２を収納する際の移動終端の引き込み力と、スライドドア２を引き出す際の移動終端の引き出し力とを補助する一対の出し入れ補助機構２０１Ａ、２０１Ｂを取り付け、これらを戸袋内に収容して、スライドドア２に設けた共通の係合部２０２を各開閉補助機構に選択的に係合させるようにしている。
【００３９】
具体的には図９に示すように、引き出し側の出し入れ補助機構２０１Ａは、Ｌ字形に形成したガイド溝２１１に係留爪２１２の２点を係合させて、斜めに傾いた補助開始位置Ｐとそこから反対側に向かって略水平姿勢をとりつつ終端まで移動した補助完了位置Ｑとの間で進退移動可能、かつ、補助開始位置Ｑから補助終了位置Ｐまで図示しないバネの弾性で移動し補助終了位置Ｐから補助開始位置Ｑに向かう際にはバネに弾性を蓄えながら補助開始位置Ｑに到来するとその位置で２点のうち１点がガイド溝２１１のＬ字部分２１１ａに引っ掛かって戻り止めされるように構成されている。すなわち、スライドドア２が引き出されて係合部２０２が補助開始位置Ｐに到来し、係合部２０２が係留爪２１２に引っ掛かって戻り止めの状態を解除すると、係留爪２１２は係合爪２０２をキャッチしたままスライドドア２を曳航して引き出し端の補助終了位置Ｑまで移動する。逆に、スライドドア２が引き込まれるときには、係合部２０２が係留爪２１２を曳航して補助開始位置Ｐまで移動してガイド溝２１１のＬ字部分２１１ａに引っ掛け、このとき係合爪２０２が係留爪２１２からリリースされてスライドドア２は引き続き引き込み方向に移動する。なお、バネが弾性を放出するときには図示しないダンパーが働くように構成されている。
【００４０】
引き込み側の出し入れ補助機構２０２も同様である。
【００４１】
以上により、このスライドドア装置Ａは、スライドドア２に最低限の剛性を保って手動で軽快に開閉できる機能を付与したローパーティションシステムＬＰＳを実現している。
【００４２】
以上のように、本実施形態のスライドドア装置Ａは、室内に置き敷いて間仕切り用に用いるものであって、パーティションパネル１を戸袋状に構成し、このパーティションパネル１にスライドドア２を、戸袋内に構成した支持機構ＳＰを介して手動で出し入れ可能な状態に支持したものである。
【００４３】
このように構成すると、スライドドア２はパーティションパネル１の厚み内に収まるので、引き違いを生じることがなく、パーティションパネル１とスライドドア２のトータルの厚みを低減できるうえに、見栄えが良好となり、モータ等も使わないため軽く構成できて戸袋内にてスライドドア２を的確に支持ことができる。しかも、パーティションパネル１の周辺に周辺の什器や荷物があってもドア開閉の邪魔になることがなく、ブースを狭めることも極力回避することができる。さらに、スライドドア２の重心がパーティションパネル１の厚み内に収まるため、安定した支持状態を実現し易いものとなる。
【００４４】
この場合、パーティションパネル１を、主パネル１１と、この主パネル１１に対面する位置に着脱可能に取り付けられる化粧パネル１２とから構成し、化粧パネル１２を取外すことによって、主パネル１１に支持機構ＳＰを介して支持されたスライドドア２を側方に表出させ得るようにしているため、化粧パネル１２を外した状態で組み付けや分解がし易く、メンテナンスの便にも優れるものとなる。
【００４５】
特に、主パネル１１は剛性のある板材１１ａを主体として構成されているため、パーティションパネル１を枠体状のフレーム構造とする場合に比べて、内空を確保し易く、戸袋の開口の邪魔になる位置にフレームがないため内空を最大限に利用することができる。その結果、パーティションパネル１の厚み寸法を大幅に削減することができ、ブース内を極力狭めないレイアウトが期待できる。
【００４６】
しかも、板材１１ａは化粧パネル１２の有無によらずコーナー支柱ＣＰに連結されて自立状態を維持するように構成されているため、組み付けやメンテナンスの便を更に向上させることができる。このような効果は、他のパーティションパネルに連結されることによって自立状態を維持する場合も同様である。
【００４７】
とりわけ、パーティションパネル１は床Ｆに置き敷かれる接地部１３を有し、スライドドア２の厚み方向の重心がパーティションパネル１の接地幅内に位置しているため、置き敷き式であっても十分な安定性を得ることができる。
【００４８】
そして支持機構ＳＰとしては、スライドドア２のスライド方向に沿って前後に配された吊り下げ機構３、４と、同じくスライドドア２のスライド方向に沿って前後に配されてスライドドア２の上下端部の振れを厚み方向に規制する振れ止め機構５〜８とを備え、前吊下げ機構３及び前振れ止め機構５、６は、スライドドア２の厚み内に設けた縦レール３１及び横レール５１、６１を含むとともに、後吊下げ機構４及び後振れ止め機構７、８は、スライドドア２から突設した縦ローラ４１及び横ローラ７１、８１を含んでおり、戸袋開口は、スライドドア２の断面よりも大きく縦ローラ７１及び横ローラ７１、８１の突出寸法よりも小さいドア出入口１４ａを有する戸袋開口カバー１４によって閉止されているため、機構部品の干渉を避けつつ、支持機構ＳＰを極力簡易に構成して、戸袋の厚み増大を抑えるとともに、ドア出入口１４ａ内の収まりも良好にすることができる。
【００４９】
また、このように支持機構ＳＰが、スライドドア２のスライド方向に沿って前後に配された吊り下げ機構３、４と、同じくスライドドア２のスライド方向に沿って前後に配されてスライドドアの上下端部の振れを厚み方向に規制する振れ止め機構５〜８とを備える場合に、スライドドア２が引出し位置まで突出したときに傾き誤差が出易いが、この実施形態では前吊下げ機構３が戸袋内に設けた縦ローラ３２を含み、同じく戸袋内に、スライドドア２を戸袋から引き出した状態で縦ローラ３２の配設高さを調整可能な高さ調整機構１１０を設けているため、スライドドア２が戸当たりに均等に当接していびつな隙間ができないように適切な調整を行うことが可能となる。
【００５０】
加えて、主パネル１が底板を構成するブラケット１１ｄの縁辺より起立するとともに、ブラケット１１ｄがアジャスタ１１ｅを介して基台１３ａに支持された状態でブラケット１１ｄと基台１３ａが連結されて、基台１３ａが床Ｆに置き敷かれる構造をなしているため、置き敷き敷きながら、床Ｆの不陸等に対応し易く、また主パネル１１と基台１３ａが連結されることでパーティションパネル１の取り扱いが容易となる。
【００５１】
さらに、主パネル１１に、スライドドア２を引き込む際の移動終端の引き込み力と、スライドドア２を引き出す際の移動終端の引き出し力とを補助する一対の出し入れ補助機構２０１Ａ、２０１Ｂを取り付け、これらを戸袋内に収容して、スライドドア２に設けた共通の係合部２０２を各開閉補助機構２０１Ａ、２０１Ｂに選択的に係合させるようにしており、このように開閉補助機構２０１Ａ、２０１Ｂを分けることで、開閉補助機構を１つで兼用する場合に比べてスライド量に対して主パネル１１が必要以上に大型化することを有効に回避することができる。
【００５２】
そして、本実施形態は以上のスライドドア装置１を用いることにより、外観が良好で居住性や使い勝手に優れ、置き敷き式であっても安定して使用することが可能なローパーティションシステムＬＰＳを提供することができる。
【００５３】
次に、本発明の第二実施形態を、図１０〜図１３を参照して説明する。
【００５４】
この実施形態は、上記第一実施形態とは前吊下げ機構１０３、後吊下げ機構１０４、前振れ止め機構１０５、１０６及び後振れ止め機構１０７、１０８の構成が異なっている。
【００５５】
前吊下げ機構１０３は、スライドドア１０２の高さ内及び厚み内に設けた縦レール１３１と、この縦レール１３１に係合して高さ方向に支持する支持側の縦ローラ１３２とによって構成され、前振れ止め機構１０５、１０６は、スライドドア１０２の高さ内及び厚み内に設けた上横レール１５１、下横レール１６１と、これらの上横レール１５１及び下横レール１６１に係合して厚み方向に支持する支持側の上横ローラ１５２及び下横ローラ１６２とによって構成されている。また、後吊下げ機構１０４は、スライドドア１０２の高さ内及び厚み内に設けた縦レール１４１と、この縦レール１４１に係合して高さ方向に支持する支持側の縦ローラ１４２によって構成され、後振れ止め機構１０７、１０８は、スライドドア１０２の高さ内及び厚み内に設けた横レール１７１、１８１と、これらの横レール１７１、１８１に係合して厚み方向に支持する支持側の横ローラ１７２、１８２とによって構成されている。ここでは、縦レール１３１、１４１は共通の上枠１２１内において連続しており、横レール１５１、１７１も共通の上枠１２１内において連続しており、横レール１６１、１８１は共通の下枠１２２内において連続している。
【００５６】
そして、支持側の縦ローラ１３２及び横ローラ１５２（縦ローラ１４２及び横ローラ１７２）は当該スライドドア１０２の上枠１２１内に配設されて当該上枠１２１に設けたスリット１２１ａを介して引き出した上ブラケット１９１によって支持側すなわち主パネル１１１側に固定され、支持側の横ローラ１６２（横ローラ１８２）は当該スライドドア１０２の下枠１２２内に配設されて当該下枠１２２に設けたスリット１２２ａを介して引き出した下ブラケット１９２によって支持側すなわち主パネル１１１側に固定されている。
【００５７】
縦ローラ１３２及び横ローラ１５２（縦ローラ１４２及び横ローラ１７２）は板材を折り曲げ形成した図１１及び図１３に示すローラ支持体ＲＳ１に回転可能に組み込まれている。具体的には、ローラ支持体ＲＳ１の立壁Ｓ１１、Ｓ１１間に通した軸Ｓによって縦ローラ１３２、１４２が支持され、ローラ支持体ＲＳ１の立壁Ｓ１１、Ｓ１１に設けた切欠Ｓ１２、Ｓ１２内に横ローラ１５２、１７２が収容されており、板材の一部が前記上ブラケット１９１を構成している。そして、上ブラケット１９１はスライドドア１０２の上枠１２１の上端１２１ｘよりも上方位置Ｘ１で支持側すなわち主パネル１１１側に固定されている。
【００５８】
また、横ローラ１６２（横ローラ１８２）は板材を折り曲げ形成した図１１に示すローラ支持体ＲＳ２に組み込まれている（図１３に対応するローラ支持体ＲＳ２の斜視図は図示省略している）。具体的には、ローラ支持体ＲＳ１の立壁Ｓ２１、Ｓ２１に設けた切欠Ｓ２２、Ｓ２２内に横ローラ１６２、１８２が収容されており、板材の一部が前記下ブラケット１９２を構成している。そして、下ブラケット１９２はスライドドア１０２の下枠１２２の下端１２２ｘよりも下方位置Ｘ２で支持側すなわち主パネル１１１側に固定されている。
【００５９】
組み付けに関しては、スライドドア１０２の上枠１２１内及び下枠１２２内にそれぞれローラ支持体ＲＳ１、ＲＳ２を収容した状態で、スライドドア１０２を主パネル１１１に近づけ、ブラケット１９１、１９２の固定位置１９１ｘ、１９２ｘをボルト等の止着具で主パネル１１１に固定することにより、組み付けが完了する。特に、戸袋開口に近い側に取り付けられる上下のローラ支持体ＲＳ１、ＲＳ２の固定位置を高さ方向に調整可能な構造とすれば、縦ローラ１３２及び横ローラ１５２の高さ調整機構、横ローラ１６２の高さ調整機構を構成することができる。
【００６０】
この上から前記第一実施形態の化粧カバー１２と同様の化粧カバー等を取り付け、戸袋開口を前記実施形態の戸袋開口カバー１４と同様の戸袋開口カバーによって閉止すれば、パーティションパネルが完成する。この場合、戸袋開口カバーには、スライドドアの断面よりも僅かに大きいドア出入口が設けられる。
【００６１】
以上のように構成すると、前記第一実施形態と基本的に同様の作用効果が得られるうえに、この実施形態の支持機構は、スライドドア１０２のスライド方向に沿って前後に配された吊り下げ機構１０３、１０４と、同じくスライドドア１０２のスライド方向に沿って前後に配されてスライドドア１０２の上下端部の振れを厚み方向に規制する振れ止め機構１０５〜１０８とを備えたものであり、前吊下げ機構１０３及び前振れ止め機構１０５、１０６は、スライドドア１０２の高さ内及び厚み内に設けた縦レール１３１及び横レール１５１、１６１を含むとともに、後吊下げ機構１０４及び後振れ止め機構１０７、１０８も、スライドドア１０２の高さ内及び厚み内に設けた縦レール１４１及び横レール１７１、１８１を含んでおり、戸袋開口は、スライドドア１０２の断面よりも僅かに大きいドア出入口を有する戸袋開口カバーによって閉止されるので、機構部品の干渉を避けつつ、支持機構を簡易に構成して戸袋開口の見え掛かりも良好にすることができる。
【００６２】
以上、本発明の一実施形態について説明したが、各部の具体的な構成は上述した実施形態のみに限定されるものではない。
【００６３】
例えば、スライドドアの支持構造は図示実施形態以外の構造であっても、戸袋内に構成することで、上記実施形態と同様の作用効果が奏される。
【００６４】
その他の構成も、本発明の趣旨を逸脱しない範囲で種々変更が可能である。
【符号の説明】
【００６５】
１…パーティションパネル
２、１０２…スライドドア
３、１０３…前吊下げ機構
４、１０４…後吊下げ機構
５、６、１０５、１０６…前振れ止め機構
７、８、１０７、１０８…後振れ止め機構
１１、１１１…主パネル
１１ａ…板材
１１ｄ…底板（ブラケット）
１１ｅ…アジャスタ
１２…化粧パネル
１３…接地部
１３ａ…基台
３１、１３１…縦レール
３２、１３２…縦ローラ（前吊下げ機構側）
４１、１４１…縦ローラ（後吊下げ機構側）
５１、６１、１５１、１６１…横レール（前振れ止め機構側）
７１、８１、１７２、１８２…横ローラ（後振れ止め機構側）
１１０…高さ調整機構
２０１Ａ、２０１Ｂ…出し入れ補助機構
２０２…係合部
Ａ…スライドドア装置
ＣＰ…コーナー支柱
Ｆ…床
ＬＰＳ…ローパーティションシステム
ＳＰ…支持機構
【図１】
2018178514.tif 000003
【図２】
2018178514.tif 000004
【図３】
2018178514.tif 000005
【図４】
2018178514.tif 000006
【図５】
2018178514.tif 000007
【図６】
2018178514.tif 000008
【図７】
2018178514.tif 000009
【図８】
2018178514.tif 000010
【図９】
2018178514.tif 000011
【図１０】
2018178514.tif 000012
【図１１】
2018178514.tif 000013
【図１２】
2018178514.tif 000014
【図１３】
2018178514.tif 000015